(57)【要約】【課題】ＬＥＤ回路において、無駄電流を流すことによってスイッチ接点の酸化皮膜を破壊して点灯用スイッチの信頼性を確保しつつ、発熱を抑えて他部品への影響をなくすこと。【解決手段】ＬＥＤ回路１は、点灯用スイッチＳ１を閉じると１２個のＬＥＤ・ＤＬ１に電流が流れ、ＬＥＤランプが点灯する。同時にコンデンサＣ１を充電する電流が流れ、トランジスタＱ２のベースにまで流れてトランジスタＱ２をＯＮとし、抵抗Ｒ５、トランジスタＱ２に電流が流れる。更に、トランジスタＱ１もＯＮとなり、抵抗Ｒ６、トランジスタＱ１に電流が流れる。これらの電流とＬＥＤ・ＤＬ１を流れる電流とを合わせると十分１Ａを超えるため、点灯用スイッチＳ１の接点に生じた酸化皮膜は破壊され、除去される。１〜２秒経過後にはコンデンサＣ１がフルに充電されて充電電流が流れなくなるので、トランジスタＱ１，Ｑ２を流れる電流も停止し、発熱の心配はない。【選択図】　　　　図１
2004111738.tif 000002
【特許請求の範囲】
【請求項１】
複数の発光ダイオードからなる発光ダイオード回路と、
電源から前記発光ダイオード回路に電力を供給する点灯用スイッチと、
前記点灯用スイッチの負荷側に接続し、所定の電流を前記点灯用スイッチに流すための電流補償回路と、
前記点灯用スイッチの投入によって動作を開始する時定数回路と、
前記時定数回路の動作によって、前記電流補償回路に通電するスイッチング回路と
を具備することを特徴とする発光ダイオード点灯回路。
【請求項２】
前記スイッチング回路は、トランジスタを２個用いたダーリントン接続してなることを特徴とする請求項１に記載の発光ダイオード点灯回路。
【請求項３】
前記スイッチング回路は、トランジスタまたはＦＥＴとしたことを特徴とする請求項１または請求項２に記載の発光ダイオード点灯回路。
【請求項４】
前記時定数回路には、その時定数回路のコンデンサ放電の回路を特定する逆バイアス用のダイオードを接続したことを特徴とする請求項１乃至請求項３のいずれか１つに記載の発光ダイオード点灯回路。
【請求項５】
前記スイッチング回路は、閾値設定回路としてツェナーダイオードを接続したことを特徴とする請求項１乃至請求項４のいずれか１つに記載の発光ダイオード点灯回路。
【発明の詳細な説明】
【０００１】
【発明の属する技術分野】
本発明は、複数個の発光ダイオード（以下、「ＬＥＤ」ともいう。）を光源として用いた点灯用スイッチの動作を補償する発光ダイオード点灯回路に関するものである。
【０００２】
【従来の技術】
例えば、従来の車両のブレーキランプのような電球式のランプには、３Ａ以上の電流が流れており、この電球を点灯させるブレーキペダルに連動した点灯用スイッチは、接点の信頼性を確保するために１Ａ以上の電流値で設計されている。
【０００３】
即ち、開放されたスイッチ接点には酸化皮膜が生ずるが、通常、１Ａ以上の電流を流すことにより酸化皮膜を破壊し、導通が確保される。これに対して、図３に示されるように光源として電球の代わりに複数個のＬＥＤ及び直列抵抗からなる回路を複数並列接続した回路ＤＬを用いた場合には、流れる電流が１Ａ以上となる場合が少なく、通常、０．８Ａ以下となるため点灯用スイッチＳの酸化皮膜のために信頼性が保たれなくなってくる。
【０００４】
そこで、図３に示されるように、複数個のＬＥＤ及び直列抵抗からなる回路を複数並列接続した回路ＤＬに対して、並列に抵抗Ｒを入れたり、それを定電流回路として、０．２Ａ以上の無駄電流を流している。
【０００５】
【発明が解決しようとする課題】
しかしながら、このような従来の回路は、点灯用スイッチＳが閉じている間、連続して無駄電流が流れるため、抵抗Ｒにおける発熱が大きくなり、他の部品に悪影響を与えるという可能性があった。
【０００６】
そこで、本発明は、スイッチ接点の酸化皮膜を破壊して点灯用スイッチの信頼性を確保しつつ、発熱を抑えて他部品への影響をなくすことができるＬＥＤ点灯回路の提供を課題とするものである。
【０００７】
【課題を解決するための手段】
請求項１にかかるＬＥＤ点灯回路は、複数のＬＥＤからなるＬＥＤ回路と、電源から前記ＬＥＤ回路に電力を供給する点灯用スイッチと、前記点灯用スイッチの負荷側に接続し、所定の電流を前記点灯用スイッチに流すための電流補償回路と、前記点灯用スイッチの投入によって動作を開始する時定数回路と、前記時定数回路の動作によって、前記電流補償回路に通電するスイッチング回路とを具備するものである。
【０００８】
これによって、本発明の前記ＬＥＤ点灯回路は、点灯用スイッチが閉じられると複数のＬＥＤに電流が流れるが、この電流のみではスイッチ接点に生ずる酸化皮膜を破壊し、除去するには不足である。一方、点灯用スイッチの負荷側に接続した電流補償回路は、点灯用スイッチの投入によってスイッチング回路が通電を開始するから、複数のＬＥＤに流れる電流と合わせると十分な電流値となり、スイッチ接点の酸化皮膜が破壊されて除去される。所定時間後になると時定数回路によりスイッチング回路が遮断状態となり、電流補償回路の通電が遮断状態となる。このように、所定の時間経過後に電流補償回路には電流が流れなくなるため、発熱によって他の部品に悪影響を及ぼす心配はない。通常、点灯用スイッチのスイッチ接点の酸化皮膜を破壊するには、１Ａ以上の電流が１〜２秒通電すれば十分なので、時定数回路の時限も、これに合わせて設定する。また、例えば、この時定数回路の放電の時定数を約２０〜３０秒と設定すれば、点灯用スイッチをそれより短い時間間隔でＯＮ−ＯＦＦさせても、継続して約２０〜３０秒間点灯用スイッチが動作しなければ、電流補償回路には電流が流れず、かかる操作による発熱の心配もない。このようにして、電流補償回路で一定値以上の補償電流を流すことによってスイッチ接点の酸化皮膜を破壊し、点灯用スイッチの信頼性を確保し、発熱を抑えて他部品への影響をなくすことができる。
【０００９】
ここで、複数のＬＥＤからなるＬＥＤ回路は、単数直列の複数並列回路または複数直列の単数並列回路とすることができる。また、点灯用スイッチは機械的スイッチを意味するが、電子的回路としてその動作の信頼性を高めることもできる。電流補償回路は、通常、抵抗回路を使用するが、定電流回路に置き代えることもできる。時定数回路は、通常、抵抗、コンデンサ回路が使用されるが、コンデンサと定電流回路のように時限設定できる回路であればよい。スイッチング回路はトランジスタ、ＭＯＳ−ＦＥＴ等からなる電子スイッチング回路で、ＯＮ−ＯＦＦ制御が可能な回路であればよい。
【００１０】
請求項２にかかるＬＥＤ点灯回路のスイッチング回路は、トランジスタを２個用いたダーリントン接続してなるものである。
【００１１】
本発明の前記スイッチング回路は、トランジスタを１個だけ用いてもできるが、その場合にはトランジスタを含む回路に１〜２秒間電流を流すには、時定数回路の時定数を大きくするか、閾値の設定を高くする必要があり、回路の負担が大きくなる。そこで、トランジスタを２個用いてダーリントン接続することによって、コンデンサから流れる電流量が少なくてもトランジスタを含む回路に１〜２秒間電流を流すことができ、時定数回路を構成するコンデンサの容量を小さくすることができる。
【００１２】
請求項３にかかるＬＥＤ点灯回路のスイッチング回路は、トランジスタまたはＦＥＴとしたものである。このスイッチング回路は、トランジスタまたはＦＥＴで効率のよい電子スイッチを構成でき、特に、ＦＥＴを用いた場合には電圧で制御できるから時定数回路の出力を小さくすることができる。
【００１３】
請求項４にかかるＬＥＤ点灯回路の時定数回路には、その時定数回路のコンデンサ放電の回路を特定する逆バイアス用のダイオードを接続したものである。したがって、時定数回路のコンデンサ放電の回路を逆バイアス用のダイオードによって遮断することにより、所望の放電回路を構成できる。
【００１４】
請求項５にかかるＬＥＤ点灯回路のスイッチング回路は、閾値設定回路としてツェナーダイオードを接続したものである。このツェナーダイオードを接続することにより、トランジスタの入力電圧が大きくなるまで、スイッチング回路の動作をしないように閾値を高くすることができ、サージ等のノイズによる誤動作を確実に防止できる。
【００１５】
【発明の実施の形態】
以下、本発明の実施の形態について図面を参照して説明する。
【００１６】
実施の形態１
まず、本発明のＬＥＤ点灯回路の実施の形態１について図１を参照して説明する。図１は本発明の実施の形態１にかかるＬＥＤ点灯回路を示す回路図である。
【００１７】
図１に示すように、本実施の形態１のＬＥＤ点灯回路１は、直流の電源Ｖ１、点灯用スイッチＳ１、逆接続防止用ダイオードＤ１，Ｄ４、ＬＥＤ用の電流調節用抵抗Ｒ７、そして、電流調節用抵抗Ｒ７と直列の３直４並列（３個直列で、それが４回路並列）に接続された１２個のＬＥＤ（ＤＬ１）を具備している。この１２個のＬＥＤ（ＤＬ１）は本実施の形態のＬＥＤ回路を構成している。
【００１８】
更に、逆接続防止用ダイオードＤ１のカソード側にはコンデンサＣ１とこれと並列に時定数設定用抵抗Ｒ１が並列接続され、その下流にはダイオードＤ２とツェナーダイオードＤ３が接続されている。コンデンサＣ１と並列に接続された抵抗Ｒ１は時定数回路を構成している。
【００１９】
そして、抵抗Ｒ２を介して２つのトランジスタＱ１，Ｑ２のうちのトランジスタＱ２のベースに接続されている。抵抗Ｒ２とトランジスタＱ２の間からは分岐して抵抗Ｒ３が接続され、その先はトランジスタＱ１のベースに接続されている。更に、この間にはトランジスタＱ２のエミッタと抵抗Ｒ４が接続され、また、トランジスタＱ１，Ｑ２のコレクタ側にはそれぞれ抵抗Ｒ５，Ｒ６が接続されている。即ち、これら２つのトランジスタＱ１，Ｑ２は、１２個のＬＥＤ（ＤＬ１）に対して並列にダーリントン接続されている。主に、抵抗Ｒ６、詳しくは、抵抗Ｒ５、抵抗Ｒ４の直列回路は、本実施の形態の電流補償回路を構成している。２つのトランジスタＱ１，Ｑ２は本実施の形態のスイッチング回路を構成している。
【００２０】
このように構成された本実施の形態１のＬＥＤ点灯回路１の動作について説明する。
【００２１】
点灯用スイッチＳ１を閉じると電源Ｖ１からダイオードＤ１，Ｄ４の順方向に沿って１２個のＬＥＤ（ＤＬ１）に電流が流れ、ＬＥＤが点灯する。以後、点灯用スイッチＳ１が閉じられている限り、１２個のＬＥＤ（ＤＬ１）は同じ明るさで点灯する。なお、この１２個のＬＥＤ（ＤＬ１）の電流は、点灯用スイッチＳ１の接点に生ずる酸化皮膜を破壊する値（通常１Ａ以上）には不足している。
【００２２】
しかし、点灯用スイッチＳ１を閉じると同時にコンデンサＣ１を充電する電流が、トランジスタＱ２のベース、エミッタ間に流れてトランジスタＱ２をＯＮ状態とし、更に、トランジスタＱ２のエミッタは抵抗Ｒ４に加わる電圧がトランジスタＱ１のベースにも接続されているため、トランジスタＱ１もＯＮ状態となり、抵抗Ｒ６、トランジスタＱ１を介して、また、抵抗Ｒ５、トランジスタＱ２、抵抗Ｒ４を介してＬＥＤ（ＤＬ１）に並行に電流が流れる。
【００２３】
これらトランジスタＱ１，Ｑ２を流れる電流と、上述の１２個のＬＥＤ（ＤＬ１）を流れる電流の和は、１Ａを超えるように設定されているので、点灯用スイッチＳ１の接点に生じた酸化皮膜は破壊され、除去される。１〜２秒経過後にはコンデンサＣ１の充電が所定の状態にまで進行すると、トランジスタＱ１のベース電流が所定の閾値以下となり、トランジスタＱ１及びトランジスタＱ２はオフ状態となり、無駄電流が長時間流れることによる抵抗Ｒ４、抵抗Ｒ５、抵抗Ｒ６の発熱の心配はない。また、このＬＥＤ点灯回路１のコンデンサＣ１及び抵抗Ｒ１で決定される時定数は約２０〜３０秒に設定されるので、電流が流れなくなってから点灯用スイッチＳ１を短時間間隔で繰返しＯＮ−ＯＦＦしても、ＯＮ−ＯＦＦ動作が完了した後、継続して約２０〜３０秒間経過するまでは電流が流れることはなく、かかる操作による発熱の心配もない。
【００２４】
ここでダイオードＤ２が組み込まれているのは、点灯用スイッチＳ１をＯＦＦしたとき、充電されたコンデンサＣ１からダイオードＤ４、抵抗Ｒ７を介して１２個のＬＥＤ（ＤＬ１）側に放電されるのを防止するために挿入されている。当然、時定数が抵抗Ｒ１で決定される約２０〜３０秒より小さくなってしまうのを避けて、コンデンサＣ１が充電されてから短時間後に点灯用スイッチＳ１を短い時間間隔でＯＮ−ＯＦＦさせた場合にも、トランジスタＱ１，Ｑ２を含む回路に電流が流れて、かかる操作による発熱が生ずるのを防止している。そこで、コンデンサＣ１から時定数設定用の抵抗Ｒ１外に電流が流れないようにダイオードＤ２を接続することによって、他の放電経路をカットして約２０〜３０秒の時定数を確保し、点灯用スイッチＳ１を短い時間間隔でＯＮ−ＯＦＦさせた場合の不具合を確実に防止することができる。
【００２５】
また、時定数回路となるコンデンサＣ１と時定数設定用抵抗Ｒ１が並列接続された回路と、２つのトランジスタＱ１，Ｑ２からなるスイッチング回路との間に、ツェナーダイオードＤ３を接続したのは、このツェナーダイオードＤ３が組み込まれていないと、閾値がトランジスタＱ１のベース電流で決定され、この部分の電圧が１〜２Ｖの低電圧でもこのＬＥＤ点灯回路１が作動し、特に、サージ等のノイズに弱くなる。そこで、ツェナーダイオードＤ３を組み込むことによって、閾値電圧が高くなり、この部分の電圧がツェナー電圧（５〜６Ｖ）に達しない限り、このＬＥＤ点灯回路１は作動せず、サージ等のノイズによる誤動作を確実に防止できる。このようにして、より信頼性の高いＬＥＤ点灯回路１となる。
【００２６】
このように本実施の形態１のＬＥＤ点灯回路１は、一定値以上の補償電流を流すことによってスイッチ接点の酸化皮膜を破壊し、点灯用スイッチＳ１の信頼性を確保できる。また、電流を補償する抵抗に短時間しか電流を流さずに済むため、発熱を抑えて他部品への影響をなくすことができる。
【００２７】
実施の形態２
次に、本発明のＬＥＤ回路の実施の形態２について図２を参照して説明する。図２は本発明の実施の形態２にかかるＬＥＤ点灯回路を示す回路図である。
【００２８】
図２に示されるように、本実施の形態２のＬＥＤ点灯回路２は、電源Ｖ１、点灯用スイッチＳ１、逆接続防止用ダイオードＤ５、電流調節用抵抗Ｒ１３，Ｒ１４，Ｒ１５，Ｒ１６，Ｒ１７、そしてこれらの回路と並列に３直４並列に接続された１２個のＬＥＤ（ＤＬ１）を具備している。また、逆接続防止用ダイオードＤ５のカソード側にはコンデンサＣ１とこれと並列に時定数設定用抵抗Ｒ９が接続され、その下流にはダイオードＤ６と抵抗Ｒ１０及び抵抗Ｒ１１が直列接続されている。更に、抵抗Ｒ１０と抵抗Ｒ１１の接続点から分岐してＦＥＴ（Ｑ３）のゲートに接続され、ＦＥＴ（Ｑ３）のゲートの手前で更に分岐してコンデンサＣ２が抵抗Ｒ１１と並列に接続されている。ＦＥＴ（Ｑ３）のドレインは抵抗Ｒ１２を介して接続され、ＦＥＴ（Ｑ３）と抵抗Ｒ１２は電源に直列に接続され、逆接続防止用ダイオードＤ７、電流調節用抵抗Ｒ１３，Ｒ１４，Ｒ１５，Ｒ１６，Ｒ１７、３直４並列に接続された１２個のＬＥＤ（ＤＬ１）の直列回路に対して並列に接続されている。
【００２９】
１２個のＬＥＤ（ＤＬ１）は本実施の形態のＬＥＤ回路を構成し、また、コンデンサＣ１と並列に接続された抵抗Ｒ９は時定数回路を構成している。そして、主に、抵抗Ｒ１２、ＦＥＴ（Ｑ３）の直列回路、詳しくは、抵抗Ｒ１０、抵抗Ｒ１１の直列回路は、本実施の形態の電流補償回路を構成している。ＦＥＴ（Ｑ３）は本実施の形態のスイッチング回路を構成している。
【００３０】
このように構成された本実施の形態２のＬＥＤ点灯回路２の動作について説明する。
【００３１】
点灯用スイッチＳ１を閉じると電源Ｖ１からダイオードＤ５，Ｄ７の順方向に沿って１２個のＬＥＤ（ＤＬ１）に電流が流れ、ＬＥＤが点灯する。以後、点灯用スイッチＳ１が閉じられている限り、１２個のＬＥＤ（ＤＬ１）は同じ明るさで発光する。しかし、この電流は点灯用スイッチＳ１の接点に生ずる酸化皮膜を破壊する値（通常、１Ａ以上）には不足している。
【００３２】
点灯用スイッチＳ１を閉じると同時にコンデンサＣ１を充電する電流が流れ、抵抗Ｒ１１に加わる電圧でＦＥＴ（Ｑ３）をＯＮ状態とし、抵抗Ｒ１２、ＦＥＴ（Ｑ３）のドレイン、ソースを介してＬＥＤ（ＤＬ１）に並行に電流が流れる。
【００３３】
このＦＥＴ（Ｑ３）を流れる電流と上述の１２個のＬＥＤ（ＤＬ１）を流れる電流とを合わせると１Ａ以上になるように抵抗Ｒ１２を設定しているから、点灯用スイッチＳ１の接点に生じた酸化皮膜は破壊され、除去される。１〜２秒経過後には、コンデンサＣ１が所定の充電状態になると充電電流が減少し、ＦＥＴ（Ｑ３）のゲート電圧が低下するので、電流は流れなくなり、補償電流が長時間流れることによる発熱の心配はない。また、このＬＥＤ点灯回路２のコンデンサＣ１及び抵抗Ｒ９で決定される時定数は、約２０〜３０秒に設定されるので、電流が流れなくなってから点灯用スイッチＳ１を短時間間隔でＯＮ−ＯＦＦしても、継続して約２０〜３０秒間ＯＦＦ状態が経過するまでは電流が流れることはなく、かかる操作による抵抗Ｒ１２の発熱の心配もない。
【００３４】
このＬＥＤ点灯回路２で、ダイオードＤ６が接続されているのは、充電されたコンデンサＣ１の電荷が時定数回路の抵抗Ｒ９外に放電されるのを防止し、時定数が約２０〜３０秒より小さくなってしまうのを避けるものである。コンデンサＣ１が充電されてから短時間に点灯用スイッチＳ１を短い時間間隔でＯＮ−ＯＦＦさせた場合、ＦＥＴ（Ｑ３）を含む回路に電流が流れて、かかる操作による抵抗Ｒ１２の発熱が生ずるのを防止するためである。そこで、時定数回路のコンデンサＣ１から抵抗Ｒ９のみ電流が流れるようにダイオードＤ６を組み込むことによって、他の放電経路をカットして約２０〜３０秒の時定数を確保し、点灯用スイッチＳ１を短い時間間隔でＯＮ−ＯＦＦさせた場合の不具合を確実に防止している。なお、コンデンサＣ２はノイズ除去のために組み込まれているものである。
【００３５】
本実施の形態にかかるＬＥＤ点灯回路１，２は、複数のＬＥＤ（ＤＬ１）からなるＬＥＤ回路と、電源Ｖ１から前記ＬＥＤ回路に電力を供給する点灯用スイッチＳ１と、点灯用スイッチＳ１の負荷側に接続し、所定の電流を点灯用スイッチＳ１に流すための少なくとも抵抗Ｒ６または抵抗Ｒ１２からなる電流補償回路と、点灯用スイッチＳ１の投入によって動作を開始するコンデンサＣ１と並列に接続された抵抗Ｒ１またはコンデンサＣ１と並列に接続された抵抗Ｒ９からなる時定数回路と、前記時定数回路の動作によって、前記電流補償回路に通電する２つのトランジスタＱ１，Ｑ２またはＦＥＴからなるスイッチング回路とを具備するものである。
【００３６】
これによって、点灯用スイッチＳ１が閉じられると複数のＬＥＤに電流が流れるが、この電流のみではスイッチ接点に生ずる酸化皮膜を破壊し、除去するには不足であるが、点灯用スイッチＳ１の負荷側に接続した電流補償回路は、点灯用スイッチＳ１の投入によってスイッチング回路が通電を開始するから、複数のＬＥＤに流れる電流と合わせると十分な電流値となり、スイッチ接点の酸化皮膜が破壊されて除去される。時定数回路が所定時間後になるとスイッチング回路が遮断状態となり、電流補償回路の通電が遮断状態となる。このように、所定の時間経過後に電流補償回路には電流が流れなくなるため、発熱によって他の部品に悪影響を及ぼす心配はない。通常、点灯用スイッチＳ１のスイッチ接点の酸化皮膜を破壊するには、１Ａ以上の電流が１〜２秒通電すれば十分なので、時定数回路の時限も、これに合わせて設定される。例えば、この時定数回路の放電の時定数を約２０〜３０秒と設定すれば、点灯用スイッチをそれより短い時間間隔でＯＮ−ＯＦＦさせても、継続して約２０〜３０秒間点灯用スイッチが動作しなければ、電流補償回路には電流が流れず、かかる操作による発熱の心配もない。このようにして、電流補償回路で一定値以上の補償電流を流すことによってスイッチ接点の酸化皮膜を破壊し、点灯用スイッチの信頼性を確保し、発熱を抑えて他部品への影響をなくすことができる。
【００３７】
ここで、複数のＬＥＤからなるＬＥＤ回路は、単数直列の複数並列回路または複数直列の単数並列回路とすることができる。また、点灯用スイッチは機械的スイッチを意味するが、電子的回路としてその動作の信頼性を高めることもできる。電流補償回路は、通常、抵抗回路を使用するが、定電流回路に置き代えることもできる。時定数回路は、通常、抵抗、コンデンサ回路が使用されるが、コンデンサと定電流回路のように時限設定できる回路であればよい。スイッチング回路はトランジスタ、ＭＯＳ−ＦＥＴ等からなる電子スイッチング回路で、ＯＮ−ＯＦＦ制御が可能な回路であればよい。
【００３８】
即ち、本発明を実施する場合には、ＬＥＤ点灯回路１，２のその他の部分の構成、形状、数量、材質、大きさ、接続関係等についても、上記各実施の形態に限定されるものではない。
【００３９】
また、ＬＥＤ点灯回路１のスイッチング回路は、トランジスタＱ１，Ｑ２を２個用いたダーリントン接続してなるものであるから、トランジスタを１個だけ用いたものよりも、制御する電流を大きくすることができる。即ち、トランジスタを２個用いてダーリントン接続することによって、コンデンサから流れる電流量が少なくてもトランジスタを含む回路に１〜２秒間電流を流すことができ、時定数回路を構成するコンデンサの容量を小さくすることができる。
【００４０】
そして、ＬＥＤ点灯回路１，２のスイッチング回路は、トランジスタＱ１，Ｑ２またはＦＥＴとしたものである。このスイッチング回路は、トランジスタＱ１，Ｑ２またはＦＥＴで効率のよい電子スイッチを構成でき、特に、ＦＥＴを用いた場合には電圧で制御できるから時定数回路の出力を小さくすることができる。
【００４１】
更に、ＬＥＤ点灯回路１，２の時定数回路には、その時定数回路のコンデンサ放電の回路を特定する逆バイアス用のダイオードＤ２，Ｄ６を接続したものであるから、時定数回路のコンデンサ放電の回路を逆バイアス用のダイオードＤ２，Ｄ６によって遮断することにより、所望の放電回路を構成できる。
【００４２】
更にまた、ＬＥＤ点灯回路１のスイッチング回路は、閾値設定回路としてツェナーダイオードＤ３を接続したものである。このツェナーダイオードＤ３を接続することにより、トランジスタの入力電圧が大きくなるまで、スイッチング回路の動作をしないように閾値を高くすることができ、サージ等のノイズによる誤動作を確実に防止できる。
【００４３】
【発明の効果】
以上説明したように、請求項１の発明にかかるＬＥＤ点灯回路は、複数のＬＥＤからなるＬＥＤ回路と、電源から前記ＬＥＤ回路に電力を供給する点灯用スイッチと、前記点灯用スイッチの負荷側に接続し、所定の電流を前記点灯用スイッチに流すための電流補償回路と、前記点灯用スイッチの投入によって動作を開始する時定数回路と、前記時定数回路の動作によって、前記電流補償回路に通電するスイッチング回路とを具備するものである。
【００４４】
したがって、点灯用スイッチが閉じられると複数のＬＥＤに電流が流れるが、この電流はスイッチ接点に生ずる酸化皮膜を破壊し、除去するには不足であるものの、点灯用スイッチの負荷側に接続した電流補償回路は、点灯用スイッチの投入によってスイッチング回路が通電を開始するから、複数のＬＥＤに流れる電流と合わせると十分な電流値となり、スイッチ接点の酸化皮膜が破壊されて除去される。このようにして、電流補償回路で一定値以上の補償電流を流すことによってスイッチ接点の酸化皮膜を破壊し、点灯用スイッチの信頼性を確保し、発熱を抑えて他部品への影響をなくすことができるＬＥＤ回路となる。
【００４５】
請求項２にかかるＬＥＤ点灯回路のスイッチング回路は、トランジスタを２個用いたダーリントン接続してなるものである。したがって、時定数回路から流れる電流量が少なくてもスイッチング回路を制御することができ、時定数回路を構成するコンデンサの容量を小さくすることができ、より実用的な回路となる。
【００４６】
請求項３にかかるＬＥＤ点灯回路のスイッチング回路は、トランジスタまたはＦＥＴとしたものである。したがって、このスイッチング回路としてトランジスタまたはＦＥＴで効率のよい電子スイッチを構成でき、特に、ＦＥＴを用いた場合には電圧で制御できるから時定数回路の出力を小さくすることができる。
【００４７】
請求項４にかかるＬＥＤ点灯回路の時定数回路には、その時定数回路のコンデンサ放電の回路を特定する逆バイアス用のダイオードを接続したものである。したがって、時定数回路のコンデンサ放電の回路を逆バイアス用のダイオードによって遮断することにより、所望の放電回路を構成できる。
【００４８】
請求項５にかかるＬＥＤ点灯回路のスイッチング回路は、閾値設定回路としてツェナーダイオードを接続したものである。このツェナーダイオードを接続することにより、トランジスタの入力電圧が大きくなるまで、スイッチング回路の動作をしないように閾値を高くすることができ、サージ等のノイズによる誤動作を確実に防止できる。このようにして、信頼性のより高い回路となる。
【図面の簡単な説明】
【図１】図１は本発明の実施の形態１にかかるＬＥＤ回路を示す回路図である。
【図２】図２は本発明の実施の形態２にかかるＬＥＤ回路を示す回路図である。
【図３】図３は従来のＬＥＤ回路を示す回路図である。
【符号の説明】
１，２　ＬＥＤ回路
Ｃ１　コンデンサ
Ｄ２，Ｄ６　ダイオード
Ｄ３　ツェナーダイオード
ＤＬ１　複数の発光ダイオード（ＬＥＤ）
Ｑ１，Ｑ２　トランジスタ
Ｑ３　ＦＥＴ（電界効果トランジスタ）
Ｒ１，Ｒ９　電流制限用抵抗
Ｓ１　点灯用スイッチ
Ｖ１　電源
【図１】
2004111738.tif 000003
【図２】
2004111738.tif 000004
【図３】
2004111738.tif 000005